(57)【要約】【課題】構成が簡単で、薄く折りたたむことができ、大きな場所を取らずに格納できる昇降式椅子を提供する。【解決手段】対向状態に設けられた支柱１の側面にガイド溝４を形成する。背フレーム２は、上下動可能に支柱１間に設けられ、上記ガイド溝４に挿入される下部ガイド軸１５と上部ガイド軸１６を有する。背フレーム２には座ステー１４が設けられ、座ステー１４には跳ね上げ位置と水平位置に回動可能に座３が取り付けられている。背フレーム２を上昇させたとき、上部ガイド軸１６はストッパー溝７に入り込み、背フレーム２は、降下しないよう傾斜状態で保持される。【選択図】図２
2013094195.tif 000002
【特許請求の範囲】
【請求項１】
対向状態に起立され上下方向に延びるガイド溝を有する筒状の支柱と、該支柱の内側面に沿う側枠部及び該側枠部の上端を連結する背枠部を有する背フレームと、該背フレームの側枠部の中間に固定された座ステーと、跳ね上げ位置と着座位置に回動可能に上記座ステーに設けられた座を具備し、上記側枠部に上記ガイド溝に上下方向に移動可能に挿入される下部ガイド軸と該下部ガイド軸の上方に位置する上部ガイド軸を設け、上記ガイド溝に沿って支柱の上方に上記背フレームを移動した際、上記上部ガイド軸が係合するよう上記ガイド溝の上端から後方に延びるストッパー溝を設けたことを特徴する昇降式椅子。
【請求項２】
上記支柱を倒伏、起立できるようにその基端を回動可能に支持した請求項１に記載の昇降式椅子。
【請求項３】
上記支柱を起立、降下できるように上記支柱を上下動可能に支持した請求項１に記載の昇降式椅子。
【請求項４】
上記支柱を倒伏したり、降下させて収納した際、格納部の上面を閉塞するよう上面板を設けた請求項２または３に記載の昇降式椅子。
【請求項５】
上記支柱は角筒状に形成され、該支柱内に内方角パイプを挿入してガイド溝に開口する案内空間を形成し、上記下部ガイド軸と上部ガイド軸に該案内空間内で転動するようローラーを設け、上記ストッパー溝に上部ガイド軸が入り込んだとき上部ガイド軸のローラーを支承する受部を上記内方角パイプの上端に設けた請求項１〜４のいずれかに記載の昇降式椅子。
【発明の詳細な説明】
【技術分野】
【０００１】
本発明は、床下や畳の下等に収納できるようにした昇降式椅子椅子に関する。
【背景技術】
【０００２】
従来より客席の下に折りたたみ状態で収納したり、床下等に収納できるようにした昇降式椅子が知られている（例えば特許文献１、２参照）。しかし、従来のこの種の椅子は座部や背凭れの折りたたみ構造が複雑であり、また折りたたみ状態での厚さ（幅）が厚いので、大きな収納場所が必要になり、簡単に設置することができない。
【先行技術文献】
【特許文献】
【０００３】
【特許文献１】実公昭５９−１５５５号公報（６欄２〜１７行、第１図〜第３図）
【特許文献２】特公平５−８６２０５号公報（特許請求の範囲、第１図〜第７図）
【発明の概要】
【発明が解決しようとする課題】
【０００４】
本発明の解決課題は、床下や畳の下等に収納できるようにした椅子において、構造が簡単で全体の厚さを薄く折りたたむことができ、大きな場所を取らずに格納可能にした昇降式椅子を提供することである。
【課題を解決するための手段】
【０００５】
本発明によれば、対向状態に起立され上下方向に延びるガイド溝を有する筒状の支柱と、該支柱の内側面に沿う側枠部及び該側枠部の上端を連結する背枠部を有する背フレームと、該背フレームの側枠部の中間に固定された座ステーと、跳ね上げ位置と着座位置に回動可能に上記座ステーに設けられた座を具備し、上記側枠部に上記ガイド溝に上下方向に移動可能に挿入される下部ガイド軸と該下部ガイド軸の上方に位置する上部ガイド軸を設け、上記ガイド溝に沿って支柱の上方に上記背フレームを移動した際、上記上部ガイド軸が係合するよう上記ガイド溝の上端から後方に延びるストッパー溝を設けたことを特徴する昇降式椅子が提供され、上記課題が解決される。
【０００６】
また、本発明によれば、上記支柱を倒伏、起立できるようにその基端を回動可能に支持したり、起立、降下できるように上記支柱を上下動可能に支持した上記昇降式椅子が提供され、上記課題が解決される。さらに、上記支柱を倒伏したり、降下させた際、格納部の上面を閉塞するよう上面板を設けた上記昇降式椅子が提供される。
【発明の効果】
【０００７】
本発明は、上記のように構成され、対向状態に起立され上下方向に延びるガイド溝を有する筒状の支柱と、該支柱の内側面に沿う側枠部及び該側枠部の上端を連結する背枠部を有する背フレームと、該背フレームの側枠部の中間に固定された座ステーと、跳ね上げ位置と着座位置に回動可能に上記座ステーに設けられた座を具備し、上記側枠部に上記ガイド溝に上下方向に移動可能に挿入される下部ガイド軸と該下部ガイド軸の上方に位置する上部ガイド軸を設け、上記ガイド溝に沿って支柱の上方に上記背フレームを移動した際、上記上部ガイド軸が係合するよう上記ガイド溝の上端から後方に延びるストッパー溝を設けたから、使用に際し背フレームを支柱の上方に引き上げ、上部ガイド軸がガイド溝の上端に位置したとき、該上部ガイド軸をガイド溝から外れて後方に延びるストッパー溝に係合させると、背フレームは下部ガイド軸がガイド溝に存し上部ガイド軸がストッパー溝に入り込んだ状態で後方に傾斜して上昇位置に保持され、この状態で座を展開してほぼ水平の着座位置に回動させれば、着座することができる。そして、上述と反対に、座を跳ね上げ、上部ガイド軸がストッパー溝から上記ガイド溝に移動するよう背フレームを起立させれば、上部ガイド軸と下部ガイド軸をガイド溝に沿って降下させることが可能になり、背フレーム及び座を支柱間に収納することができ、大きな格納場所を必要としない。
【０００８】
支柱を倒伏、起立可能に構成した場合は、支柱を倒伏させ、昇降可能に構成した場合は支柱を降下させれば、椅子ユニットの全体を床下や畳の下等に収納でき、格納部の上面を床、畳等の上面板で塞げば、通常の床や畳として使用することができる。
【図面の簡単な説明】
【０００９】
【図１】本発明の一実施例を示す使用状態の斜視図。
【図２】底面から見た斜視図。
【図３】背フレームを収納した状態の斜視図。
【図４】支柱と背フレームの関係を示す側面図。
【図５】座と背フレームの関係を示す説明図。
【図６】座受ブラケットと座ステーの関係を示す斜視図。
【図７】支柱を倒伏、起立可能にした実施例を示し、支柱を倒伏して上面板で上部を覆った状態の説明図。
【図８】図７に示す状態から上面板を開き、支柱を起立させる途中の状態を示す説明図。
【図９】図８に示す状態から支柱を充分に起立させ、上面板を折り込んだ状態の説明図。
【図１０】図９に示す状態から背フレームを上方に引き上げた状態を示す説明図。
【図１１】図１０に示す状態から背フレームを後方に傾斜させて上昇位置に保持した状態を示す説明図。
【図１２】図１１に示す状態から座を着座位置に回動させ着座できるようにした状態を示す説明図。
【発明を実施するための形態】
【００１０】
本発明の昇降式椅子はスポーツ施設、劇場等の客席その他適宜の場所で使用することができるが、以下寺院等で好適に使用できるようにした一実施例につき説明する。図１〜図３を参照し、本発明の昇降式椅子は、対向状態に起立する筒状の支柱１と、該支柱１の内側面間に位置する背フレーム２と、該背フレーム２間に位置する座３を有する。
【００１１】
該支柱１の内側面には、上下方向に延びるガイド溝４が形成され、角筒状の支柱１の内面の後方側に内接するよう内方角パイプ５を挿入固定し、該内方角パイプ５の前方側に上記ガイド溝４に開口する案内空間６を形成してある。該ガイド溝４の上端には、後方に延びるストッパー溝７が形成され、該ストッパー溝７は、図４に示すように略倒Ｌ字状に屈曲しており、これに対応して上記内方角パイプ５の上端には弧状の受け片を設けて受部８が形成されている。支柱１の上端は、蓋片９で閉塞されている。
【００１２】
上記支柱１は倒伏、起立可能に構成したり、上下に上昇、降下できるように構成することができる。図に示す実施例では、各支柱の下端を角筒状の駆動軸１０に連結し、該駆動軸１０を手動操作やモーター等の電動操作により回転させて、支柱１を起立させたり、倒伏させたりすることができるようにしてある。上下動可能に構成するには、手動操作で上下動させたり、適宜のシリンダー機構で上下動させればよい。なお、いずれの場合も、支柱１を起立状態に保持できるよう適宜の保持機構（図示略）を設けることが好ましい。
【００１３】
上記背フレーム２は、上記支柱１の内側面に沿う側枠部１１と、該側枠部１１の上端を連結する背枠部１２を有し、該背枠部１２は身体の背部に沿うよう湾曲している。該側枠部１１の下方は下部ステー１３で連結されており、中間部には座ステー１４が固定されている。該側枠部１１には、上記支柱１のガイド溝４に上下方向に移動可能に挿入される下部ガイド軸１５と、その上方に位置する上部ガイド軸１６が設けられている。各ガイド軸１５、１６の先端にはそれぞれ上記支柱の案内空間６内に内接して転動するようローラー１７が設けられている。上記下部ガイド軸１５は、上記ガイド溝４及び案内空間６内のみを移動するが、上記上部ガイド軸１６は、背フレーム２を上昇させた際、上記ストッパー溝７に入り込むことが可能であり、該ストッパー溝７に入り込んだ上部ガイド軸１６のローラー１７は上記受部８で支承される。これにより、背フレーム２は、降下するおそれはなく、上昇位置で確実に保持され、荷重を支えることができる。
【００１４】
上記座３は座ステー１４に取り付けられ、跳ね上げ位置とほぼ水平の着座位置に移動できるよう適宜の取付構造により回動可能に保持されている。図に示す実施例では、座ステー１４に座受部１８及び側面部１９を有する断面略コ字状の座受ブラケット２０を回動可能に取り付け、該座受ブラケット２０の座受部１８に座３を固定してある。座３の裏面側には裏面を覆うカバー２１が取り付けられ、該カバー２１には手掛け凹部２２が設けられている。
【００１５】
上記座受ブラケット２０の側面部１９には、上記座ステー１４に嵌合する受溝２３が形成され、該座ステー１４の裏面側から座受ブラケット２０の側面部１９間に入り込むよう受溝２４を有する回転受ブラケット２５を座３に取り付けてある。座ステー１４には、座３がほぼ水平位置に回動したとき、上記座受ブラケット２０の座受部１８の裏面に当接して、座３の回動を停止させてその位置に保持できるようストッパー２６を固定してある。この構成により、座３はほぼ水平位置で停止し、着座することができる。また、座３の先部を跳ね上げれば、座３は回動して上端が背フレーム２の背枠部１２方向に移動し、ほぼ側枠部１１に沿って並列する。この際、上記カバー２１の後端等に上記下部ステー１３に嵌着する適宜の留め具（図示略）を設けておけば、座３を跳ね上げた状態で保持することができる。
【００１６】
上記支柱、背フレーム、座等で構成される椅子ユニット２７は、並列して設けることができる。図に示す実施例では、上記椅子ユニット２７を３脚横方向に並べ、かつ前後に同様に配列して、該椅子ユニット２７を前方列、後方列ごとに駆動軸１０に固定し、６脚の椅子ユニットを倒伏状態でほぼ畳一畳分内に格納できるようにしてある。そして、一方側の椅子ユニットの支柱１は倒伏状態から反時計方向に回転して起立し、他方の支柱１は時計方向に回転して起立するように各駆動軸の回転方向を制御し、この駆動軸を畳の下等の床下に設けてある。上記椅子ユニット２７を収納した格納部２８の上面を覆うよう床面や畳面には、折りたたみ可能に上面板２９を設けてある。この上面板２９はヒンジ３０を介して二つ折りできるよう連結された２つの部材で構成され、基端がヒンジ３１を介して格納部２８の側方に設けたバラケット３２に連結されている。上面板２９の裏面や支柱１の側面には適宜のスペーサー３３を設けてあり、上面板２９を展開したとき、上面板２９が撓まないようにしてある。
【００１７】
上記ように構成された椅子ユニット２７は、不使用時、図７に示すように床下に格納され、格納部２８の上面には畳等を表面に形成した上面板２９で塞がれている。そして、使用に際しては、上記上面板２９を手で持ち上げ、手動操作若しくは電動操作で上記駆動軸１０を回転させると、支柱１は回動して図８に示すように次第に起立する。
【００１８】
上記支柱１が完全に起立すると、図９に示すように、上面板２９は折りたたまれ、支柱１の前面若しくは後面に沿って位置する。そして、図１０に示すように、上記背フレーム２を引き上げ、上部ガイド軸１６をストッパー溝７に係合させれば、背フレーム２はその上端が後方に傾斜し、上昇位置に保持される（図１１）。最後に座３をほぼ水平の着座状態に展開させると、図１２に示すように椅子が完成するから、着座することができる。収納するには、上記と逆の手順で、座３を跳ね上げ、背フレーム２を支柱１に沿って降下させ、支柱１を倒伏して格納部２８内に収納し、その上面を上面板で覆えばよい。
【符号の説明】
【００１９】
１    支柱
２    背フレーム
３    座
４    ガイド溝
５    内方角パイプ
６    案内空間
７    ストッパー溝
１０  駆動軸
１１  側枠部
１２  背枠部
１３  下部ステー
１４  座ステー
１５  下部ガイド軸
１６  上部ガイド軸
１７  ローラー
２０  座受ブラケット
２５  回転受ブラケット
２６  ストッパー
２７  椅子ユニット
２８  格納部
２９  上面板 
【図１】
2013094195.tif 000003
【図２】
2013094195.tif 000004
【図３】
2013094195.tif 000005
【図４】
2013094195.tif 000006
【図５】
2013094195.tif 000007
【図６】
2013094195.tif 000008
【図７】
2013094195.tif 000009
【図８】
2013094195.tif 000010
【図９】
2013094195.tif 000011
【図１０】
2013094195.tif 000012
【図１１】
2013094195.tif 000013
【図１２】
2013094195.tif 000014